(57)【要約】【課題】監視員の判断を反映させつつ、レスポンス操作の効率向上を図った中央監視システムを提供する。【解決手段】警報が発報したことを示すアラームウィンドウ９を表示画面に表示させる表示制御部５と、警報に対応するレスポンス操作を選択して実行する実行部６とを備えた中央監視システムにおいて、複数のレスポンス操作を連続的に実行するレスポンス操作群を１つのクイックレスポンス操作として定義し、表示制御部５は、複数のクイックレスポンス操作を一覧表示する。実行部６は、クイックレスポンス操作が一覧表示された画面にて、クイックレスポンス操作の選択を受け付け、クイックレスポンス操作を実行する。【選択図】図１
2019057042.tif 000002
【特許請求の範囲】
【請求項１】
警報が発報したことを示すアラームウィンドウを表示する表示制御部と、警報に対応するレスポンス操作を実行する実行部と、を備えた中央監視システムであって、
複数の前記レスポンス操作を連続的に実行するレスポンス操作群を１つのクイックレスポンス操作として定義し、
前記表示制御部は、複数の前記クイックレスポンス操作を一覧表示し、
前記実行部は、前記クイックレスポンス操作が一覧表示された画面にて、前記クイックレスポンス操作の選択を受け付け、前記クイックレスポンス操作を実行する中央監視システム。
【請求項２】
前記表示制御部は、前記クイックレスポンス操作を表すシンボルを、前記アラームウィンドウの表示画面と同一画面に一覧表示する請求項１に記載の中央監視システム。
【請求項３】
操作員が選択した複数の前記レスポンス操作群を、前記クイックレスポンス操作として登録する登録部を備えた請求項１又は２に記載の中央監視システム。
【請求項４】
前記登録部は、前記レスポンス操作群の実行回数を計測して、前記実行回数が予め設定された回数を超えた時点で、当該レスポンス操作群を前記クイックレスポンス操作として登録する請求項３に記載の中央監視システム。
【請求項５】
同一の警報に対して操作員が同一の前記レスポンス操作群を選択した場合、前記登録部は、前記警報の発報回数を計測して、前記発報回数が予め設定された回数を超えた時点で、前記レスポンス操作群を前記クイックレスポンス操作として登録する請求項３又は４に記載の中央監視システム。
【請求項６】
前記クイックレスポンス操作の設定部を備え、
前記設定部は、前記クイックレスポンス操作の追加、変更及び削除を行う請求項１〜５のいずれかに記載の中央監視システム。
【発明の詳細な説明】
【技術分野】
【０００１】
本発明の実施形態は、複数のレスポンス操作を連続的に実行する中央監視システムに関する。
【背景技術】
【０００２】
一般的に、所定の規模の建物には、受変電、エレベータ、空調や照明など多くの設備機器が配置されている。そのため、これらの設備機器を安全且つ効率良く動作させるべく、設備機器を集中的に監視する中央監視システムが普及している。
【０００３】
中央監視システムでは、設備機器を監視して、設備機の故障など異常発生を検知して警報を発報する。このとき、中央監視システムは、警報に対応して、複数のレスポンス操作を実行する。各レスポンス操作による制御としては、設備機器のON/OFF制御、各設備機器の設定変更、あるいは警報の停止などがあり、最終的には、異常が発生した設備機器の復帰制御などを実現する。設備機器の多様化や複雑化に伴って、中央監視システムには優れた監視精度が求められている。したがって、レスポンス操作を実行する場合、監視員の知識や経験を反映させて、発生した設備機器の異常に対し柔軟に対処する必要がある。
【０００４】
そこで、中央監視システムが複数のレスポンス操作を連続的に実行する場合、一連のレスポンス操作を全て自動制御するのではなく、監視員の判断に基づいてレスポンス操作を実行している。すなわち、中央監視システムでは、レスポンス操作の自動制御は採用するにしても限定的であり、監視員による手動でのレスポンス操作が主流となっている。
【先行技術文献】
【特許文献】
【０００５】
【特許文献１】特開２０１１−１９２０８２号公報
【発明の概要】
【発明が解決しようとする課題】
【０００６】
レスポンス操作の手順は警報内容によって異なるが、複雑なレスポンス操作が必要なことがある。従来の中央監視システムでは、レスポンス操作の操作数が多くなっても、監視員がいちいち手動でレスポンス操作を行っている。そのため、レスポンス操作による制御時間が増大していた。また、レスポンス操作の操作数に比例して、操作ミスや操作漏れのリスクも大きくなるという不具合がある。
【０００７】
特に、同様の警報が頻繁に発報された場合、警報が発報されるたびに、監視員は、一連のレスポンス操作を同じように繰り返さなくてはならない。したがって、レスポンス操作に毎回同様に多くの時間がかかるだけではなく、慣れから来る単純な操作ミスや操作漏れが発生してしまうといった懸念がある。
【０００８】
特に近年では、中央監視システムの監視対象となる設備機器の数は増大の一途をたどっており、中央監視システムにおける監視のポイント点数は膨大な数に達している。したがって、監視員の判断を入れる余地を残しつつ、レスポンス操作を効率良く実行することが要請されていた。
【０００９】
本実施形態は、複数の前記レスポンス操作を連続的に実行するレスポンス操作群を１つのクイックレスポンス操作として定義し、クイックレスポンス操作を複数同時に表示して、監視員自らがクイックレスポンス操作のいずれかを選択することにより、監視員の判断を反映させつつ、レスポンス操作の効率向上を図った中央監視システムの提供を課題とする。
【課題を解決するための手段】
【００１０】
本実施形態は、警報が発報したことを示すアラームウィンドウを表示する表示制御部と、警報に対応するレスポンス操作を実行する実行部と、を備えた中央監視システムであって、複数の前記レスポンス操作を連続的に実行するレスポンス操作群を１つのクイックレスポンス操作として定義し、前記表示制御部及び前記実行部は、次のような特徴を有する。
(ａ)前記表示制御部は、複数の前記クイックレスポンス操作を一覧表示する。
(ｂ)前記実行部は、前記クイックレスポンス操作が一覧表示された画面にて、前記クイックレスポンス操作の選択を受け付け、前記クイックレスポンス操作を実行する。
【図面の簡単な説明】
【００１１】
【図１】第１の実施形態の構成図
【図２】監視グラフィック画面の表示例を示す図
【図３】アラームウィンドウ及びクイックレスポンスウインドウの表示例を示す図
【図４】クイックレスポンス操作の設定ウインドウの表示例を示す図
【図５】第１の実施形態の構成及びフローを示す図
【図６】クイックレスポンス操作のフローを示す図
【図７】第２の実施形態の構成図
【図８】第２の実施形態のクイックレスポンスウインドウの表示例を示す図
【図９】第２の実施形態のフローを示す図
【発明を実施するための形態】
【００１２】
(第１の実施形態)
第１の実施形態について図１〜図６を参照して説明する。
(構成)
中央監視システムの構成例について図１を用いて説明する。図１に示すように、中央監視システムは、ヒューマンインタフェースステーション（以下、ＨＩＳと呼ぶ）１と、グローバルコントロールサーバ（以下、ＧＣＳと呼ぶ）２と、ローカルコントロールサーバ（以下、ＬＣＳと呼ぶ）３と、リモートＩ/Ｏ（以下、ＲＩＯと呼ぶ）４から構成される。このうち、ＧＣＳ２は、履歴やトレンドデータのファイリング機能を持つサーバである。ＬＣＳ３は、ローカルネットワークを介して設備機器と接続する分散サーバであり、機器の状態監視や自動制御機能を持つサーバである。
【００１３】
ＨＩＳ１とは、監視グラフィック画面８(図２参照)を持つクライアントであり、監視グラフィック画面にて監視対象設備の状態表示や、警報通知および設定操作、さらにはレスポンス操作を行う。ＨＩＳ１には、監視グラフィック画面の表示装置や、キーボードやマウスなどの入力装置などが設けられている。操作員が入力装置を操作することでＨＩＳ１への入力が可能になり、操作員の入力操作に対するＨＩＳ１側のレスポンスが、表示装置での表示を通じて操作員に伝わる。
【００１４】
ＨＩＳ１には、表示制御部５と、実行部６と、クイックレスポンス設定部７とが設けられている。これらの構成要素はプログラムで制御されることで各構成要素の機能を実現する。表示制御部５は、ＨＩＳ１の表示画面である監視グラフィック画面８上に、警報が発報したことを示すアラームウィンドウ９(図３参照)を表示する。アラームウィンドウ９には、入力点番号、入力点名称、警報発生日、警報発生時刻、状態値、制限値等が表示される。アラームウィンドウ９は、過去の警報メッセージを一覧表示してもよいし、選択された警報メッセージと同じ異常の履歴を一覧表示してもよい。
【００１５】
表示制御部５は、監視グラフィック画面８上に、前記アラームウィンドウ９を表示すると共に、アラームウィンドウ９の下側にクイックレスポンス操作を一覧表示する(図３参照)。クイックレスポンス操作とは、複数のレスポンス操作を連続的に実行するレスポンス操作群を、１つの操作として定義したものである。クイックレスポンス操作が一覧表示された画面をクイックレスポンスウインドウ１０と呼ぶ。クイックレスポンス操作の一覧表示とは、例えばクイックレスポンス操作の内容を示すテキストが一覧表示されることである。
【００１６】
図３に示したクイックレスポンスウインドウ１０では、２つのクイックレスポンス操作の内容を示すテキストが上下２段に並んで一覧表示されている。上側のクイックレスポンス操作は、「ｘｘ１条件の場合、制御１、制御２、制御３を実施」という内容であり、下側のクイックレスポンス操作は、「ｘｘ２条件の場合、制御１、制御２、制御４を実施」という内容である。
【００１７】
制御１〜制御４が、単独のレスポンス操作から導かれる制御である。これらの内容を示すテキストの前には、クイックレスポンス操作を選択したことを示す円形のシンボル１１が表示されている。また、クイックレスポンスウインドウ１０にはクイックレスポンス操作を実行する実行ボタン１２も表示されている。なお、クイックレスポンスウインドウ１０に表示されるクイックレスポンス操作の表示数は、適宜変更可能である。また、クイックレスポンス操作に含まれるレスポンス操作の数も、適宜変更可能である。
【００１８】
クイックレスポンスウインドウ１０にて、操作員からのクリック操作などによってシンボル１１が選択され、さらに実行ボタン１２が操作されると、実行部６は、選択されたシンボル１１に対応するクイックレスポンス操作を実行する。例えば、上側のクイックレスポンス操作を実行した場合には、「制御１、制御２、制御３」を順次実行し、下側のクイックレスポンス操作を実行した場合には、「制御１、制御２、制御４」を順次実行する。
【００１９】
クイックレスポンス設定部７は、クイックレスポンス操作を設定する部分である(図４参照)。クイックレスポンス設定部７は、クイックレスポンス操作の設定ウインドウ１３を表示して、レスポンスの説明を示すテキストや、制御設定に対応するポイント名称などの入力を受け付け、設定ボタン１４を操作することで、クイックレスポンス操作を設定する。クイックレスポンス操作の設定ウインドウ１３は、監視グラフィック画面８上に重ねて表示してもよいし、別画面に表示してもよい。
【００２０】
(作用)
図５に示すように、中央監視システムでは、監視対象である設備機器に故障等の異常が発生すると、ＲＩＯ４にて状態を入力し(Ｓ０１)、ＬＣＳ３にて異常を認識し(Ｓ０２)、ＨＩＳ１の表示制御部５が監視グラフィック画面８にアラームウィンドウ９を表示する(Ｓ０３)。
【００２１】
図６では、クイックレスポンス操作のフローを示す。警報発生に続いて、表示制御部５が、アラームウィンドウ９と同時にクイックレスポンスウインドウ１０を、監視グラフィック画面８上に表示する(Ｓ０４)。監視員がクイックレスポンスウインドウ１０においてクイックレスポンス操作のシンボル１１を選択すると(Ｓ０５)、実行部６は、選択されたクイックレスポンス操作に含まれる制御を順次実施していき(Ｓ０６〜Ｓ０８)、クイックレスポンス操作による制御が完了する(Ｓ０９)。
【００２２】
(効果)
第１の実施形態に係る中央監視システムでは、表示制御部５が、クイックレスポンス操作の内容を一覧表示したクイックレスポンスウインドウ１０を、監視グラフィック画面８上に表示させ、実行部６は、クイックレスポンス操作が一覧表示された画面にて、クイックレスポンス操作の選択を受け付け、クイックレスポンス操作を実行する。
【００２３】
複数のレスポンス操作を全て手動によって実行する場合、アラームウィンドウ９とは別のグラフィック画面、例えば、復帰制御を実行するためのグラフィック画面を表示する。このグラフィック画面には、復帰制御を構成するための複数のレスポンス操作に対応した複数のシンボルと共に、テキストなどによるガイダンスが表示される。監視員がグラフィック画面にてシンボルを選択すると、実行部６がレスポンス操作を実行し、復帰制御が完了するまで、この選択と実行を順次行う。このため、１つのレスポンス操作が終了するまで次のシンボルを選択することができず、一連のレスポンス操作が完了するまでにはかなりの時間がかかる。
【００２４】
(1)これに対して、上記の構成を有する第１の実施形態によるクイックレスポンス操作では、複数のレスポンス操作を一括して実行するので、全てのレスポンス操作を監視員がいちいち手動で行う場合に比べて、レスポンス操作による制御時間は短くて済む。特に、同様の警報が頻繁に発報される場合に、警報が発報されるたびに、監視員が、一連のレスポンス操作を同じように繰り返す必要が無く、効率良くレスポンス操作を実行することができる。
【００２５】
(2)警報発生時にガイダンス表示を行う場合、従来では監視員はガイダンス表示を見ながら、監視グラフィック画面８とは別の画面で操作する必要があり、レスポンス操作の実行中には監視グラフィック画面８の確認が面倒である。これに対して、第１の実施形態では、監視グラフィック画面８上に表示されたクイックレスポンスウインドウ１０から、クイックレスポンス操作のシンボル１１を選択することができる。したがって、複数のレスポンス操作を連続してクイックレスポンス操作の選択に際しても、監視グラフィック画面８を確認しながら行うことが可能であり、良好な操作性が得られる。
【００２６】
(3)第１の実施形態ではクイックレスポンスウインドウ１０から監視員が所望のクイックレスポンス操作のシンボル１１を選択するのみなので、監視員がレスポンス操作をいちいち確認して選択していくといった煩雑な作業を省くことができる。したがって、レスポンス操作の操作全体に要する時間を短縮化することができる。
【００２７】
(4)第１の実施形態では、複数のレスポンス操作を一括して実行するため、間違ったシンボル１１を選択してしまうなどの操作ミスや、レスポンス操作を飛ばしてしまうといった操作漏れのリスクを防ぐことができる。このため、レスポンス操作による制御を確実に実施することができ、優れた信頼性を発揮することができる。
【００２８】
(5)第１の実施形態では、クイックレスポンスウインドウ１０にて、監視員自らがクイックレスポンス操作のいずれかを選択することができる。このため、警報に対してレスポンス操作を実行する場合、監視員の知識や経験を的確に反映させることができ、中央監視システムにおける監視のポイント点数が増大しても、発生した設備機器の異常に対して柔軟に対処することが可能となる。
【００２９】
(6)第１の実施形態では、クイックレスポンス設定部７を備えているため、クイックレスポンス操作の設定ウインドウ１３にて、クイックレスポンス操作の設定を簡単に行うことができる。このとき、レスポンスの説明を示すテキストや、制御設定に対応するポイント名称などを適宜入力できるため、操作員は、クイックレスポンス操作の内容を的確に把握することが可能である。
【００３０】
また、クイックレスポンス操作の設定ウインドウ１３にて、新たなクイックレスポンス操作の追加や削除や変更を簡単に行うことができる。したがって、いったんクイックレスポンス操作として設定した後でも、判断が必要となると監視員が考えた場合には、クイックレスポンス操作を自由に編集することができ、監視員の知識や経験を的確に反映させて、設備機器を柔軟に監視することが可能となる。
【００３１】
(第２の実施形態)
(構成)
第２の実施形態について図７〜図９を参照して説明する。第２の実施形態の基本的な構成は第１の実施形態のそれと同様である。そのため、同一の構成要素に関しては、同一符号を付して説明は省略する。
【００３２】
図７に示すように、第２の実施形態では、ＨＩＳ１に、クイックレスポンス設定部７に代えて、登録部１５が設けられている。登録部１５は、操作員が選択した複数のレスポンス操作群を、クイックレスポンス操作として登録する。図８に示すように、表示制御部５は、クイックレスポンスウインドウ１０に、自動登録ボタン１６及び登録完了ボタン１７を表示する。
【００３３】
(作用)
クイックレスポンス自動登録のフローを図９に示す。図９に示すように、警報発生時に操作員は、クイックレスポンスウインドウ１０において自動登録ボタン１６を選択して押してから(Ｓ１０)、シンボル(１)〜(ｎ)を操作して(Ｓ１１〜Ｓ１３)、従来と同様に複数のレスポンス操作を連続して行う。最後にクイックレスポンスウインドウ１０において登録完了ボタン１７を選択して押す(Ｓ１４)と、登録部１５は、その時に行った一連のレスポンス操作を「クイックレスポンス操作」として、クイックレスポンス操作の一覧表示に登録する(Ｓ１５)。
【００３４】
(効果)
第２の実施形態には、次のような独自の効果がある。すなわち、登録部１５にて登録したクイックレスポンス操作は、同様の警報が発生したときに、自動的に一覧表示される。そのため、一時登録操作を行った以降は、クイックレスポンス操作の一覧表示から、所望のクイックレスポンス操作を選択実行するだけで、複数のレスポンス操作が可能となる。このため、クイックレスポンス操作の設定操作をわざわざ行う必要が無く、操作性が一層向上する。
【００３５】
(他の実施形態)
本発明のいくつかの複数の実施形態を説明したが、これらの実施形態は例として提示したものであって、発明の範囲を限定することを意図していない。これら実施形態は、その他の様々な形態で実施されることが可能であり、発明の要旨を逸脱しない範囲で、種々の省略や置き換え、変更を行うことができる。これらの実施形態やその変形は、発明の範囲や要旨に含まれると同様に、特許請求の範囲に記載された発明とその均等の範囲に含まれるものである。
【００３６】
監視グラフィック画面８、アラームウィンドウ９、クイックレスポンスウインドウ１０、クイックレスポンス操作の設定ウインドウ１３、さらには、各画面に表示されるシンボル１１や実行ボタン１２、自動登録ボタン１６及び登録完了ボタン１７の表示態様などは適宜変更可能である。
【００３７】
例えば、図３に示したクイックレスポンス操作において、上下２段のテキスト表示で相違がある部分(具体的には上段側の「ｘｘ１条件の場合」と「制御３」と、下段側の「ｘｘ２条件の場合」と「制御４」という部分)についてのみ、ハイライト表示を行うようしてもよい。このような実施形態によれば、クイックレスポンス操作を複数表示した場合に、クイックレスポンス操作の選択ミスを防ぐことができる。
【００３８】
また、第２の実施形態において、登録部１５は、レスポンス操作群の実行回数を計測して、実行回数が予め設定された回数を超えれば、レスポンス操作群をクイックレスポンス操作として自動的に登録するようにしてもよい。さらに、同一の警報に対して操作員が同一のレスポンス操作群を選択した場合、登録部１５が、警報の発報回数を計測して、発報回数が予め設定された回数を超えた時点で、レスポンス操作群をクイックレスポンス操作として登録するようにしてもよい。これらの実施形態では、自動登録ボタン１６や登録完了ボタン１７の操作が不要であり、より簡単にクイックレスポンス操作を登録することができる。
【符号の説明】
【００３９】
１  ＨＩＳ
２  ＧＣＳ
３  ＬＣＳ
４  ＲＩＯ
５  表示制御部
６  実行部
７  クイックレスポンス設定部
８  監視グラフィック画面
９  アラームウィンドウ
１０  クイックレスポンスウインドウ
１１  シンボル
１２  実行ボタン
１３  クイックレスポンス操作の設定ウインドウ
１４  設定ボタン
１５  登録部
１６  自動登録ボタン
１７  登録完了ボタン
【図１】
2019057042.tif 000003
【図２】
2019057042.tif 000004
【図３】
2019057042.tif 000005
【図４】
2019057042.tif 000006
【図５】
2019057042.tif 000007
【図６】
2019057042.tif 000008
【図７】
2019057042.tif 000009
【図８】
2019057042.tif 000010
【図９】
2019057042.tif 000011